(57)【要約】【課題】壁面部の一部に窓孔が形成されて外側から収納物が視認可能な包装箱において、簡便な方法により、収納物の回転を防止することが可能な包装箱を提供することである。【解決手段】包装箱１０は、収納物である容器３０の周囲を囲む６つの壁面部と、前方壁面部１１に形成された窓孔１６と、窓孔１６の両側から内側に向かって折り込まれ、容器３０に押し付けられる折り込み片１７と、容器３０と後方壁面部１２との間に挿入され、容器３０に接着されて、折り込み片１７の先端部分と接触するリーフレット２０と、を備え、窓孔１６を通して容器３０を外側から視認可能な状態で収納すると共に、店頭での陳列時等における容器３０の回転を防止する。【選択図】図１
2011046429.tif 000002
【特許請求の範囲】
【請求項１】
収納物の周囲を囲む壁面部と、
前方壁面部に形成される窓孔と、
を備え、窓孔を通して収納物を外側から視認可能な状態で収納する包装箱であって、
窓孔の両側から内側に向かって折り込まれ、収納物に押し付けられる折り込み片と、
折り込み片と後方壁面部との間に挿入され、収納物に接着される固定部材と、
を備えることを特徴とする包装箱。
【発明の詳細な説明】
【技術分野】
【０００１】
本発明は、包装箱に関し、特に、収納物の周囲を囲む壁面部の一部に窓孔が形成されて外側から収納物が視認可能な包装箱に関する。
【背景技術】
【０００２】
化粧品類、薬品類、食料品類などが充填された容器を収納する包装箱には、壁面部の一部に窓孔が形成され、その窓孔を通して収納物、特に、収納物に施された商品名や品質表示等の印刷を視認可能とした形態のものが広く使用されている。このような包装箱としては、例えば、前方壁面部に形成された窓孔と、窓孔の左右両側に設けられた折り込み板と、を備えるディスプレイパッケージが提案されている（特許文献１）。
【０００３】
上記のような包装箱には、円筒形状等の回転し易い容器が収納されることがあり、このような場合には、店頭での陳列時に収納物が回転して、収納物に施された商品名や品質表示等の印刷が見え難くなることが起り得る。そこで、円筒容器等の回転し易い形状の容器を収納する包装箱には、収納物の回転を防止することが要求されていた。
【０００４】
このような状況に鑑みて、収納物の回転を抑制することを目的とした包装箱が提案されている。例えば、特許文献２には、上端の開口部を内フラップおよび外フラップを用いて閉塞する透明なプラスチック製の包装箱であって、内フラップに連設させて押し付け片を形成し、該押し付け片を収納物に押し付けることによって、収納物の回転を阻止しようとした包装箱が開示されている。
【先行技術文献】
【特許文献】
【０００５】
【特許文献１】実開昭６０‐６２０２４号公報
【特許文献２】特開２００７‐８５６０号公報
【発明の概要】
【発明が解決しようとする課題】
【０００６】
しかしながら、特許文献２の包装箱に形成された小さな押し付け片のみでは、収納物の回転防止効果は小さいことが想定される。特に、壁面部の一部に窓孔が形成されて収納物に外部から衝撃が加わり易い包装箱では、回転防止効果は殆ど期待できない。また、特許文献１の包装箱にも、収納物に接触する折り込み板が形成されているが、折り込み板のサイズが小さいことから、この折り込み板は単に窓孔を設けるための構造であって、収納物の回転防止効果は殆ど奏しないことが想定される。
【０００７】
本発明の目的は、壁面部の一部に窓孔が形成されて外側から収納物が視認可能な包装箱において、簡便な方法により、収納物の回転を防止することが可能な包装箱を提供することである。
【課題を解決するための手段】
【０００８】
本発明に係る包装箱は、収納物の周囲を囲む壁面部と、前方壁面部に形成される窓孔と、を備え、窓孔を通して収納物を外側から視認可能な状態で収納する包装箱であって、窓孔の両側から箱の内側に向かって折り込まれ、収納物に押し付けられる折り込み片と、折り込み片と後方壁面部との間に挿入され、収納物に接着される固定部材とを備える。
【０００９】
したがって、本発明に係る包装箱は、折り込み片が外側に向かって戻ろうとする弾性効果により、収納物が位置規制されて、収納物の回転が抑制され、さらに、折り込み片が固定部材の係合保持部材としても働くことから、折り込み片の弾性効果に加えて、折り込み片と固定部材による係合保持効果が働き、収納物の回転防止機能が向上する。固定部材は、折り込み片と接触している、或いは収納物が回転しようとすると折り込み片に接触するので、固定部材の幅が小さい場合であっても、収納物に接着された固定部材が折り込み片により押さえられて、収納物の回転が防止される。したがって、例えば、幅の狭いリーフレットを固定部材として用いることができるので、包装箱の部品点数を削減することも可能である。
【００１０】
また、本発明に係る包装箱は、後方壁面部にも、収納物に施された賞味期限等の印刷を視認できるように、後方窓孔を形成することが好ましい。さらに、後方窓孔を、切り込み線により形成された後方折り込み片を内側に折り込んで設けてもよい。このようにすれば、後方折り込み片が収納物に押し付けられ、より収納物の回転抑制に寄与することができる。
【発明の効果】
【００１１】
本発明に係る包装箱によれば、簡便な構造により、収納物の回転を防止することが可能である。即ち、本発明に係る包装箱によれば、店頭での陳列時等において、収納物に施された商品名や品質表示等の印刷が見え難くなることを防止することができると共に、収納物を包装箱から取り出す際に面倒な操作を行う必要がない。
【図面の簡単な説明】
【００１２】
【図１】本発明に係る実施形態における包装箱の前方側斜視図である。
【図２】図１に示す包装箱の展開図である。
【図３】図１において、容器が収納された状態を示す図である。
【図４】図３に示す容器が収納された包装箱の上面図であって、上方壁面部を開放した状態を示す図である。
【図５】図３のＡ‐Ａ線断面図である。
【図６】本発明に係る別の実施形態における包装箱の展開図である。
【図７】図６に示す包装箱の断面図であって、図５に対応する図である。
【発明を実施するための形態】
【００１３】
図面を用いて、本発明に係る包装箱の実施形態について、以下詳細に説明する。なお、以下では、包装箱１０の収納物として、包装箱１０の中で回転し易い円筒形状の容器３０を例に挙げて説明するが、収納物はこれに限定されるものではない。
【００１４】
包装箱１０に収納される容器３０は、プラスチック製やガラス製の容器であって、例えば、容器３０には、化粧品類、薬品類、食料品類などが充填される。そして、容器３０の胴部には、通常、内容物の商品名や品質表示などが記載された印刷が施される。具体的には、胴部に印刷層が形成されたシュリンクラベルやタックラベル等のプラスチックラベルが巻き付けられる（図３参照）。
【００１５】
包装箱１０は、上記の容器３０を包装する機能を有し、容器３０の周囲を囲む６つの壁面部を備える。包装箱１０は、例えば、厚さ０．１〜１ｍｍ程度の厚紙やプラスチックシートから構成され、その外観に印刷を施すこともできる。なお、以下では、包装箱１０は、厚紙から構成されるものとして説明する。
【００１６】
図１に、包装箱１０の前方側斜視図を示す。図１に示すように、包装箱１０は、前方壁面部１１、前方壁面部１１に対向する後方壁面部１２、前方壁面部１１に垂直な２つの側方壁面部１３、上方壁面部１４及び下方壁面部１５の６つの壁面部を備える長方体形状の包装箱である。ここで、前方壁面部１１とは、店頭での陳列時等において、前方に位置する面を意味し、後述の窓孔１６が形成される面である。
【００１７】
包装箱１０は、一般的に、上方壁面部１４が容易に開閉可能な構造となっており、容器３０は、上方壁面部１４を開放して出し入れすることができる。包装箱１０の形状としては、長方体形状に限られず、収納物の形状やサイズに応じて任意に変更することができる。また、包装箱１０のサイズとしては、容器３０を収納できるサイズであることが要求される。なお、箱内における容器３０の移動を防止するために、包装箱１０の幅は、容器３０の最大幅（最大直径）と略同等であることが好ましい。
【００１８】
前方壁面部１１には、その全幅に亘って切り抜かれた開口部が形成される。さらに、後述の折り込み片１７が内側に折り込まれて、両側の側方壁面部１３の略中央に亘る広い開口部が形成される。この開口部、即ち、切り抜かれた部分と折り込み片１７の部分を合わせた部分が窓孔１６となる。この窓孔１６を通して、収納された容器３０を外側から視認することができる。窓孔１６の形状としては、図１に示すような単純な四角形状の他に、縁部に装飾的形状を施した形状や円形状など種々の形状とすることができる。なお、窓孔１６の位置やサイズは、収納物の種類や形態、施された印刷等に応じて、任意に設定することができる。
【００１９】
包装箱１０は、店頭での陳列時等における容器３０の回転を防止するために、窓孔１６の両側から内側に向かって折り込まれ、容器３０に押し付けられる折り込み片１７を備える。さらに、包装箱１０は、折り込み片１７と後方壁面部１２との間に挿入され、容器３０に接着される固定部材を備える。
【００２０】
折り込み片１７は、上記のように、窓孔１６の両側に形成される。折り込み片１７は、上記前方壁面部１１の切り抜き開口部を形成する切り込み線と、前方壁面部１１の端部から側方壁面部１３の略中央に亘り横方向に形成された切り込み線と、側方壁面部１３の略中央に上下方向に沿って形成された折り曲げ線と、により囲まれた部分であって、この折り曲げ線を箱の内側に折り込むことにより、折り込み片１７が形成される。ここで、切り込み線とは、完全に切断された切断線を意味する。
【００２１】
折り込み片１７の形状としては、図１に示すような矩形の他にも、例えば、切り込み線の角度を変化させて台形にするなど種々の形状とすることができる。折り込み片１７のサイズとしては、弾性力向上等の観点から、箱の上下方向に沿って長いことが好ましく、且つ容器３０の後方に当接して、後述の固定部材に接触する程度の幅（箱の横方向に沿った長さ）を有する必要がある。例えば、折り込み片１７の上下方向に沿った長さは、窓孔１６の長さと同等であることが好ましい。
【００２２】
また、後方壁面部１２にも、例えば、容器３０の後方に施された賞味期限等の表示を視認可能とするように、後方窓孔１８を形成することができる。後方窓孔１８の形状、位置及びサイズについても、窓孔１６と同様に、収納物の種類や形態、施された印刷等に応じて、任意に設定することができる。
【００２３】
また、後方窓孔１８を形成する際に、後方壁面部１２を完全に切り抜くのではなく、切り込み線の一部を折り曲げ線として内側に折り込み、後方折り込み片１９を形成することができる。この後方折り込み部１９は、サイズが小さいものの、詳しくは後述する折り込み片１７と同様に、容器３０の後方に押し付けられて、容器３０の回転防止に寄与し、さらに、固定部材の下端側係合保持部材としても作用し得るので、折り込み片１７と共に固定部材との係合保持効果をより高めることができる。
【００２４】
図２に、包装箱１０の展開図を示す。ここで、実線は、切り込み線（包装箱１０の外形線を含む）を、点線は、折り曲げ線を、それぞれ示している。なお、図２に示す展開図は、一例であって、包装箱１０の展開形状は、これに限定されるものではない。
【００２５】
図２に示すように、包装箱１０は、上記６つの壁面部が繋がった１枚の厚紙から構成されている。具体的には、前方壁面部１１に、２つの側方壁面部１３、上方壁面部１４及び下方壁面部１５が繋がった展開形状を有している。そして、後方壁面部１２には、側方壁面部１３と接着される接着代２８が設けられている。また、各側方壁面部１３には、上方フラップ２２及び下方フラップ２３が設けられ、上方壁面部１４及び下方壁面部１５には、上方差込みフラップ２４及び下方差込みフラップ２５がそれぞれ設けられている。
【００２６】
前方壁面部１１には、中央部が大きく切り抜かれて窓孔１６の一部である開口部が形成されている。また、該開口部の上端及び下端を形成する切り込み線が、側方壁面部１３の略中央まで延長され、側方壁面部１３の略中央に上下方向に沿った折り曲げ線が形成される。包装箱１０を組み立てたときに、この折り曲げ線を箱の内側に折り込むことにより、折り込み片１７が形成される。
【００２７】
ここで、包装箱１０の製造方法、特に、組み立て方法について説明する。まず初めに、図２に示す展開形状に厚紙を切り抜いて、切り抜かれた厚紙に、上記の窓孔１６や後方窓孔１８、折り込み片１７等を形成するための切り込み線又は折り曲げ線を形成する。次に、前方壁面部１１及び後方壁面部１２が対向し、２つの側方壁面部１３が対向するように折り曲げ線を折り曲げ、接着代２８に接着剤を塗って接着代２８を側方壁面部１３の内面に接着する。そして、下方フラップ２３、下方壁面部１５の順で内側に折り曲げて、下方差込みフラップ２５を後方壁面部１２の内側に差し込む。上方フラップ２２、上方壁面部１４、上方差込みフラップ２４についても同様の操作を行うことで、図１に示す包装箱１０が組み立てられる。
【００２８】
なお、後方壁面部１２には、固定用フラップ２６が設けられ、固定用フラップ２６は、下方差込みフラップ２５が差し込まれた後に、下方壁面部１５に形成された差込み孔２７に挿入される。これにより、下方壁面部１５が容器３０の重みにより開放することを防止することができる。
【００２９】
図３〜図５を用いて、包装箱１０の作用、特に、折り込み片１７の作用について詳細に説明する。さらに、上記固定部材の構成及び作用について説明する。ここで、図３は、図１において、容器３０が収納された状態を示す図である。図４は、図３に示す容器３０が収納された包装箱１０の上面図であって、上方壁面部１４を開放した状態を示す図であり、図５は、図３のＡ‐Ａ線断面図である。
【００３０】
図３に示すように、包装箱１０には、容器３０が収納される。容器３０は、上方壁面部１４を開放して上方から包装箱１０に挿入される。容器３０を挿入するときには、折り込み片１７が容器３０の斜め後方側から、容器３０を押し付けるように配置される。また、容器３０の下部は、折り込み片１７と前方壁面部１１の内面とに当接して位置規制されている。なお、固定部材は、容器３０に装着された状態で挿入されても良いし、容器３０を挿入してから容器３０に接着しても良い。
【００３１】
詳しくは図４、図５に示すように、折り込み片１７は、包装箱１０に容器３０が収納されたときに、容器３０の斜め後方に押し付けられて、容器３０の回転防止機能を発現する。即ち、容器３０に押し付けられる折り込み片１７には、外側（前方）に向かって戻ろうとする弾性力が働き、その弾性効果によって容器３０が保持される。容器３０の下部は、前方壁面部１１の内面に接触していることから、折り込み片１７と前方壁面部１１とによって押さえられた容器３０は位置規制されて、回転が抑制される。
【００３２】
図４、図５に示すように、折り込み片１７と共に容器３０の回転防止機能を発現する固定部材としては、商品説明等を記載したリーフレット２０を利用することができる。リーフレット２０を固定部材として利用することにより、別途固定部材を準備する必要がないため、包装箱１０の部品点数を削減することが可能である。
【００３３】
リーフレット２０は、Ｌ字状に折り曲げられて、接着部２１により容器３０の上面に接着される。このように、リーフレット２０を接着することで、胴部が丸みを帯びた円筒形状等の収納物であっても広い接着面積を確保して強い接着力を得ることができる。接着部２１は、例えば、容器３０の上面に設けられた粘着テープや接着剤塗布部から構成することができる。
【００３４】
図５に示すように、リーフレット２０は、折り込み片１７と接触している。このように、折り込み片１７によって、リーフレット２０が押さえられているので、後方壁面部１２より幅の狭いリーフレット２０であっても、容器３０を係合保持する固定部材として機能する。即ち、容器３０が回転しようとすると、リーフレット２０も一緒に回転しようとするが、リーフレット２０は、折り込み片１７により押さえられているので回転できず、したがって、容器３０の回転も防止されることになる。
【００３５】
固定部材として利用できるリーフレット２０としては、折り込み片１７の押さえつけにより変形しない程度の剛性が必要であって、例えば、０．５ｍｍ以上の厚みを有することが好ましい。また、リーフレット２０の幅は、少なくとも折り込み片１７の先端部分と接触可能な幅であることが要求される。
【００３６】
以上のように、包装箱１０は、窓孔１６の両側から内側に向かって折り込まれ、容器３０の後方に押し付けられる折り込み片１７と、容器３０と後方壁面部１２との間に挿入され、容器３０に接着されて、折り込み片１７と接触する固定部材（リーフレット２０）と、を備える。したがって、包装箱１０によれば、折り込み片１７とそれに押さえられるリーフレット２０との相乗効果によって、店頭での陳列時等における容器３０の回転を高度に防止することができる。
【００３７】
なお、上記では、前方壁面部１１の中央部を大きく切り抜いて窓孔１６（一部）を形成するものとして説明したが、図６に示すように、前方壁面部１１を切り抜かず、前方壁面部１１から側方壁面部１３に亘る幅広の折り込み片１７を内側に折り込んで窓孔１６を設けることもできる。ここで、図６は、幅広の折り込み片１７を有する別の実施形態における包装箱１０の展開図であって、折り込み片１７の形態を除き、図２に示す展開図と同一のものである。
【００３８】
図６に示すように、前方壁面部１１を通り両側の側方壁面部１３の略中央に亘って横方向に形成された２本の切り込み線、及び各側方壁面部１３の略中央において上下方向に沿って形成された折り曲げ線に囲まれた部分が、左右２つの折り込み片１７となる部分である。これの中央部、即ち、前方壁面部１１の中央部に、上下方向に沿った切り込み線を形成することで左右に分割し、各折り曲げ線を箱の内側に折り込むことにより、幅広の折り込み片１７が形成される。なお、窓孔１６は、上記のように、折り込み片１７を内側に折り込むことで設けられる。
【００３９】
図７に、別の実施形態における包装箱１０の断面図であって、図５に対応する図（図６に示す展開された包装箱１０を組み立てて容器３０を収納した状態）を示す。図７に示すように、上記左右の幅広の折り込み片１７は、収納された容器３０の後方側でその先端部分が重なり合うと共に容器３０に広く接触するため、外側（前方）に向かって戻ろうとする弾性力がより強く働き、容器３０の位置規制機能が向上する。また、折り込み片１７は、固定部材であるリーフレット２０にも強く押し付けられるため、容器３０の回転をより高度に防止することができる。
【符号の説明】
【００４０】
１０  包装箱、１１  前方壁面部、１２  後方壁面部、１３  側方壁面部、１４  上方壁面部、１５  下方壁面部、１６  窓孔、１７  折り込み片、１８  後方窓孔、１９  後方折り込み片、２０  リーフレット、２１  接着部、２２  上方フラップ、２３  下方フラップ、２４  上方差込みフラップ、２５  下方差込みフラップ、２６  固定用フラップ、２７  差込み孔、２８  接着代、３０  容器。
【図１】
2011046429.tif 000003
【図２】
2011046429.tif 000004
【図３】
2011046429.tif 000005
【図４】
2011046429.tif 000006
【図５】
2011046429.tif 000007
【図６】
2011046429.tif 000008
【図７】
2011046429.tif 000009